(57)【特許請求の範囲】
【請求項１】
ワイヤハーネスを布線する図板に立設されて、ワイヤハーネスを構成するハーネス部品を保持するためのワイヤハーネスの枠型部品保持具であって、
上記図板上に固定されるベースブロックと、
このベースブロックから突出する突出姿勢とベースブロック内に退避する退避姿勢との間で進退可能にベースブロックに設けられ、かつその進退によって保持対象となるハーネス部品の起伏を枠取り可能な多数の突起と、
これら突起の進退状態をロックするロック手段と
を備えていることを特徴とする枠型部品保持具。
【請求項２】
各突起は、弾性部材で突出姿勢に維持されていることを特徴とする請求項１記載の枠型部品保持具。
【請求項３】
上記ロック手段は、ベースブロックと相対変位可能に構成され、各突起の進退を規制するロック姿勢と進退を許容するロック解除姿勢との間で変位可能なスライド板であることを特徴とする請求項１記載の枠型部品保持具。
【請求項４】
上記ロック手段は、ベースブロックの上部に突設した上記突起を樹脂材により固着することを特徴とする請求項１記載の枠型部品保持具。
【発明の詳細な説明】
【０００１】
【発明の属する技術分野】
本発明はワイヤハーネスなどの電線束に設けられるコネクタ等のハーネス部品を保持するための枠型部品保持具に関するものである。
【０００２】
【従来の技術】
一般にワイヤハーネスなどの電線束は、複数の電線と、コネクタ等のハーネス部品とを接続することにより、予め定められた回路を構成する電気配線システムである。
【０００３】
かかるワイヤハーネスを製造する場合には、組立図板と呼称される図板に電線を受ける保持具を設け、この保持具上にワイヤハーネスを構成する電線を布線し、必要な外装部品を取り付けている。
【０００４】
ところで近年では、ワイヤハーネスの仕上げ寸法における公差を極力小さくすることが要請されている。そこで最近では、上記組立図板に箱冶具と呼ばれる枠型部品保持具を設けている。この枠型部品保持具は、保持対象となるハーネス部品をその外郭に沿って囲繞する樹脂製品を有しており、ハーネス部品は、この樹脂製品に形成された収容空間内に装着されることによって、精緻に位置決めされるようになっている。そして、従来は、このような枠型部品保持具を用いて、ワイヤハーネスの寸法精度を高く維持していた。
【０００５】
しかしながら、車両の電子化や多品種少量生産の要請に伴い、ワイヤハーネスに使用されるハーネス部品も非常に多種多様になってきている。
【０００６】
このため、高い寸法精度を求めるほど、上記枠型部品保持具の汎用性がなくなり、種類も増加することになる。
【０００７】
特に、ワイヤハーネスを試作する段階では、検討図板と呼称される図板に電線を受ける保持具を設け、この保持具上にワイヤハーネスを構成する電線を布線し、必要な外装部品を取り付けるなどの試行錯誤が行われるが、この検討図板の上では、頻繁に仕様変更が繰り返されるため、多種多様な枠型部品保持具を迅速に用意する必要があった。
【０００８】
かかる問題を解決するために、ある程度、汎用的な枠型部品保持具が開発されている。たとえば、特開平１０−１０６３６８号公報には、ハーネス部品としてコネクタの側面を挟みつける構造により形状が異なる種々のコネクタに対応する枠型部品保持具の技術が開示されている。
【０００９】
【発明が解決しようとする課題】
しかしながら、上記公報に開示された先行技術ではコネクタの側面を平行な２面の部材で挟みつけていただけであったので、複雑な形状のコネクタについては、いわゆる箱冶具のような寸法精度維持は困難であった。また、形状が単純であっても、枠型部品保持具がコネクタを挟みつける２面が狭い場合には、やはり、コネクタの姿勢を維持することが困難となり、近年要請されている寸法精度を維持することができなかった。さらに、従来の図板では、専らコネクタの位置規制のみによって寸法精度の確保を図っていただけであったので、他のハーネス部品に関する位置規制は何等考慮されていなかった。
【００１０】
本発明は上記不具合に鑑みてなされたものであり、組立図板や検討図板などのワイヤハーネスに係る図板において、高い寸法精度の維持と汎用性とを両立させることのできる枠型部品保持具を提供することを課題としている。
【００１１】
【課題を解決するための手段】
上記課題を解決するために本発明は、ワイヤハーネスを布線する図板に立設されて、ワイヤハーネスを構成するハーネス部品を保持するためのワイヤハーネスの枠型部品保持具であって、上記図板上に固定されるベースブロックと、このベースブロックから突出する突出姿勢とベースブロック内に退避する退避姿勢との間で進退可能にベースブロックに設けられ、かつその進退によって保持対象となるハーネス部品の起伏を枠取り可能な多数の突起と、これら突起の進退状態をロックするロック手段とを備えていることを特徴とする枠型部品保持具である。
【００１２】
この発明では、予めベースブロックに突設された各突起を突出姿勢にしておき、各突起に保持対象となるハーネス部品を押し付け、一部の突起をベースブロックに押し込むことにより、複数の突起をハーネス部品の起伏に沿わせて進退させることができるとともに、その進退状態をロック手段でロックすることにより、複数の突起でハーネス部品を囲繞し、寸法規制を精緻に維持した状態で該ハーネス部品を保持することが可能になる。
【００１３】
上記ハーネス部品は、ハーネス部品が主となるが、それに限らず、例えば、プロテクタやグロメットであってもよい。
【００１４】
好ましい態様において、各突起は、弾性部材で突出姿勢に維持されていることが好ましい。その場合には、ロック手段による各突起のロック姿勢が解除された場合に、弾性部材の付勢力によって、全突起を自動的に突出姿勢に戻すことが可能になる。
【００１５】
また、上記ロック手段は、ベースブロックと相対変位可能に構成され、各突起の進退を規制するロック姿勢と進退を許容するロック解除姿勢との間で変位可能なスライド板であってもよい。
【００１６】
その場合には、ハーネス部品を変更する際に、全突起を容易に元の突出姿勢に戻すことが可能になる。
【００１７】
或いは、ベースブロックの上部に突設した上記突起を樹脂材により固着することが好ましい。その場合には、樹脂材を熱溶融させることで再度全突起を元の突出姿勢に戻すことができる。
【００１８】
【発明の実施の形態】
以下、添付図面を参照しながら本発明の好ましい実施形態について詳述する。
【００１９】
図１は、図板１上のワイヤハーネス２の概略構成を示す斜視図である。
【００２０】
同図を参照して、図示のワイヤハーネス２は、複数の電線３と、コネクタ４（ハーネス部品の一例）と、グロメット５ａと、プロテクタ５ｂなどを接続することにより、予め定められた回路を構成する電気配線システムである。
【００２１】
コネクタ４は、ワイヤハーネス２相互間や、ワイヤハーネス２と図示しない他の電装部品との間を電気的に接続するために用いられるものであって、本発明の実施形態においては図２にも示すように、略矩形の樹脂製のハウジング４ａとハウジング４ａに形成された複数の端子挿入孔４ｂとを有しており、この端子挿入孔４ｂには、ワイヤハーネス２を構成する電線３の端部が対応する端子挿入孔４ｂにそれぞれ挿入されている。このため、コネクタ４の外形はコネクタ４の目的や、ワイヤハーネス２を構成する電線３の種類により，多種多様なものとなっている。
【００２２】
グロメット５ａは、ワイヤハーネス２において防水処理を必要とする箇所に設けられるゴムなどの防水部材であり、ワイヤハーネス２に防水処理を施した後、当該箇所の外周に取り付けられるものである。
【００２３】
また、プロテクタ５ｂは、ワイヤハーネス２において補強を必要とする箇所に設けられる樹脂製の外殻部材であり、ワイヤハーネス２の当該箇所の外周に取り付けられるものである。
【００２４】
かかるワイヤハーネス２を製造する場合には、図板１に電線３を受ける保持具６、７を設け、この保持具６、７の上にワイヤハーネス２を構成する電線３を布線し、コネクタ４やグロメット５ａなどの必要な部品を取り付けている。
【００２５】
そして上記コネクタ４は図板１の上に図示しないロッドなどで固定される枠型部品保持具１０の内部に収容されて図板１上に保持される。
【００２６】
次に図２は、本発明の第一の実施形態に係る枠型部品保持具１０の概略構成を示す斜視図であり、図３は、本発明の第一の実施形態に係る枠型部品保持具１０の概略構成を示す分解斜視図である。また、図４は、本発明の第一の実施形態に係る枠型部品保持具１０のロック姿勢を示す部分断面図である。（Ａ）はロック解除姿勢を示し、（Ｂ）はロック姿勢を示している。また、（Ｃ）は後述するように突起１２が弾性部材１３で進退可能になっている状態を示している。
【００２７】
これらの図を参照して、図示の枠型部品保持具１０は、ワイヤハーネス２を布線する図板１に立設されて、ワイヤハーネス２を構成するコネクタ４を保持するためのものであって、ベースブロック１１と、多数の突起１２と、弾性部材１３と、突起支持板１４と、前記突起１２の進退状態をロックするロック手段としてスライド板１５とを備え、ワイヤハーネス２を布線する図板１に立設されて、ワイヤハーネス２を構成するコネクタ４をその内部に保持するものである。
【００２８】
上記ベースブロック１１は、略矩形に成形された樹脂製の部材であり、突起１２や後述する弾性部材１３を収納するための弾性部材収容部１１ａを備えている。
【００２９】
上記弾性部材収容部１１ａは、突起１２や後述する弾性部材１３を収納するためにベースブロック１１のコネクタ４を取り付けようとする面に設けられた有底の円筒穴であり、一つ一つの突起１２に対応して弾性部材１３が収容された後、この弾性部材１３を圧縮するように突起１２が挿入されるので、弾性部材１３の弾性力により、突起１２が弾性部材収容部１１ａの長手方向に進退可能な状態となっている。
【００３０】
上記多数の突起１２は、上記弾性部材１３に付勢された状態で弾性部材収容部１１ａに挿入される金属製の円筒状棒材であり、弾性部材１３に付勢されることによりベースブロック１１から突出する突出姿勢と、弾性部材１３の付勢力に抗してベースブロック１１内に退避する退避姿勢との間で進退可能に構成されている。
【００３１】
上記弾性部材１３は、図４（Ｃ）にも示すようにコイルばねなど、伸縮可能な弾性を有する部材であり、弾性部材収容部１１ａに収容されるとともに、突起１２の下端を上方に押圧することにより、突起１２を上記突出姿勢に維持するためのものである。
【００３２】
上記突起支持板１４は、ベースブロック１１のコネクタ４を取り付けようとする面に取り付けられる略矩形の金属製板材であり、その面に突起１２を挿通させるための多数の円孔１４ｃを有している。そしてこの円孔１４ｃで突起１２の側面を規制することにより、突起１２が進退する方向と垂直な方向に変位することを規制している。突起支持板１４は、ボルト１４ａによりスペーサ１４ｂを介してベースブロック１１の面に取り付けられることにより、突起支持板１４とベースブロック１１との間に後述するスライド板１５を変位させるための一定の間隔を設けている。
【００３３】
上記スライド板１５は、突起１２のロック手段として用いられる略矩形の金属製板材であり、突起支持板１４と同様その面に突起１２を挿通させるための多数の円孔１５ｃを有し、図４（Ａ）、（Ｂ）にも示すように突起１２とこの円孔１５ｃとの間の摩擦によって多数の突起１２の進退状態をロックする。そして、このスライド板１５は、ベースブロック１１と相対変位可能に構成され、各突起１２の進退を規制するロック姿勢と進退を許容するロック解除姿勢との間で変位可能な構成となっている。また、スライド板１５には２箇所に長孔１５ａが設けられ、この長孔１５ａに挿通されるボルト１５ｂにより、ベースブロック１１にスライド可能に連結されている。これにより、各突起１２の進退を規制するロック姿勢を維持するように構成されている。
【００３４】
次に図２〜図４を参照して本実施形態の作用について説明する。
【００３５】
この実施形態では、ロック手段であるスライド板１５は、ベースブロック１１と相対変位可能に構成され、各突起１２の進退を規制するロック姿勢と進退を許容するロック解除姿勢との間で変位可能となっているので、予めベースブロック１１に突設された各突起１２を突出姿勢にしておき、各突起１２に保持対象となるコネクタ４を押し付け、一部の突起１２をベースブロック１１に押し込むことにより、複数の突起１２をコネクタ４の起伏に沿わせて進退させることができるようになっている。そして、各突起１２の進退状態をロック手段であるスライド板１５を各突起１２の軸に略垂直方向にスライドさせるとともにボルト１５ｂで固定することにより、各突起１２をロックすることにより、複数の突起１２でコネクタ４を囲繞し、寸法規制を精緻に維持した状態で該コネクタ４を保持する。
【００３６】
また、ロック手段であるスライド板１５による各突起１２のロック姿勢を解除する場合には、ボルト１５ｂを緩めて各突起１２の係止を緩和する方向にスライド板１５をスライドさせてロック姿勢を解除する。
【００３７】
各突起１２は、弾性部材１３で突出姿勢に維持されているので、弾性部材１３の付勢力によって、全突起１２を自動的に突出姿勢に戻すことが可能になる。
【００３８】
次に、本発明の第二の実施形態について説明する。
【００３９】
図５は、本発明の第二の実施形態に係る枠型部品保持具１０の概略構成を示す斜視図であり、図６は、本発明の第二の実施形態に係る枠型部品保持具１０の概略構成を示す分解斜視図である。また、図７は、本発明の第二の実施形態に係る枠型部品保持具１０のロック姿勢を示す側面図である。（Ａ）はコネクタ４をセットする前の状態を示し、（Ｂ）はコネクタ４をセットした後の状態を示している。また、（Ｃ）は各突起１２がロックされた状態を示している。
【００４０】
これらの図を参照して、本発明の第二の実施形態では、ロック手段としてベースブロック１１の上部に突設した上記突起１２を樹脂材１６により固着するものである。
【００４１】
図示の枠型部品保持具１０は、ワイヤハーネス２を布線する図板１に立設されて、ワイヤハーネス２を構成するコネクタ４を保持するためのものであって、ベースブロック１１と、樹脂収容部１１ｄ（図６参照）と、多数の突起１２と、突起支持板１４と、樹脂カバー１７と前記突起１２の進退状態をロックするロック手段として樹脂材１６（図６参照）とを備え、ワイヤハーネス２を布線する図板１に立設されて、ワイヤハーネス２を構成するコネクタ４をその内部に保持するものである。
【００４２】
上記ベースブロック１１は、略矩形に成形された樹脂製の部材であり、突起１２や弾性部材１３を収納するための弾性部材収容部１１ａを備えている点などは第一の実施形態と同様である。
【００４３】
上記樹脂収容部１１ｄ（図６参照）は、突起１２や後述する樹脂材１６を収納するためにベースブロック１１のコネクタ４を取り付けようとする面に設けられ、後述する樹脂カバー１７で囲繞された略矩形の空間であり、樹脂材１６が充填された後、樹脂収容部１１ｄの開口部は突起支持板１４で蓋をされる。そしてこの樹脂材１６に浸漬される状態で突起１２が挿入されるので、樹脂材１６が溶融しているか固着しているかの状態変化により、突起１２がベースブロック１１のコネクタ４を取り付けようとする方向に進退可能な状態となる。
【００４４】
上記多数の突起１２は、自然冷却された樹脂材１６により固着されるように樹脂収容部１１ｄに挿入される金属製の円筒状棒材であり、ベースブロック１１から突出する突出姿勢とベースブロック１１内に退避する退避姿勢との間で進退可能にベースブロック１１の樹脂収容部１１ｄに設けられ、かつその進退によって保持対象となるコネクタ４の起伏を枠取り可能なように各突起１２は、自然冷却された樹脂材１６により突出姿勢に維持されている
上記樹脂カバー１７は、金属製板材から構成され、ベースブロック１１のコネクタ４を取り付けようとする面に突起１２を囲繞するように取り付けられるものであり、その内部に樹脂収容部１１ｄを形成している。
【００４５】
上記樹脂材１６は、突起１２のロック手段として用いられる熱可塑性の樹脂であり、外部からの伝熱等で加熱されたり自然冷却されることにより、軟化したり固着したりして、各突起１２の進退を規制するロック姿勢と進退を許容するロック解除姿勢との間で変位可能とするものである。
【００４６】
次に図５〜図７を参照して本実施形態の作用について説明する。
【００４７】
この第二の実施形態では、ロック手段である樹脂材１６は、ベースブロック１１の樹脂収容部１１ｄに収容され、各突起１２の進退を規制するロック姿勢と進退を許容するロック解除姿勢との間で変位可能とするものであるので、予めベースブロック１１に突設された各突起１２を突出姿勢にしておき、各突起１２に保持対象となるコネクタ４を押し付け、一部の突起１２をベースブロック１１に押し込むことにより、複数の突起１２をコネクタ４の起伏に沿わせて進退させることができるようになっている。そして、各突起１２の進退状態をロック手段である樹脂材１６を自然冷却させて固着し、ロックすることにより、複数の突起１２でコネクタ４を囲繞し、寸法規制を精緻に維持した状態で該コネクタ４を保持する。
【００４８】
また、ロック手段である樹脂材１６による各突起１２のロック姿勢を解除する場合には、樹脂材１６を外部からの伝熱等で加熱して各突起１２の固着を緩和させてロック姿勢を解除する。
【００４９】
上述した二つの実施形態は本発明の好ましい具体例を例示したものに過ぎず、本発明は上述した実施の形態に限定されない。
【００５０】
例えば、突起１２は必ずしも金属製である必要はなく、硬質の樹脂製であってもよいし、断面も円形でなく、矩形であってもよい。
【００５１】
また、ベースブロック１１も必ずしも樹脂製である必要はなく、金属の板を加工してその内部に弾性部材収容部１１ａを設けたものでもよい。
【００５２】
いずれの場合であっても、予めベースブロック１１に突設された各突起１２を突出姿勢にしておき、各突起１２に保持対象となるコネクタ４を押し付け、一部の突起１２をベースブロック１１に押し込むことにより、複数の突起１２をコネクタ４の起伏に沿わせて進退させることができるとともに、その進退状態をスライド板１５や樹脂材１６のようなロック手段でロックすることにより、複数の突起１２でコネクタ４を囲繞し、寸法規制を精緻に維持した状態で該コネクタ４を保持することが可能になる。
【００５３】
また、コネクタ４を変更する際に、スライド板１５を緩和したり、樹脂材１６を熱溶融させてロック解除姿勢にすることにより、再度全突起１２を元の突出姿勢に戻すことができる。
【００５４】
なお、具体的には図示していないが、ハーネス部品としては、上記コネクタ４に限らず、グロメット５ａやプロテクタ５ｂなどであってもよい。その場合には、これらの部品５ａ、５ｂに対応するベースブロック１１や突起１２を設けることにより、コネクタ４の場合と同様に汎用性を持たせることが可能になる。
【００５５】
その他、本発明の特許請求の範囲内で種々の設計変更が可能であることはいうまでもない。
【００５６】
【発明の効果】
このように、本発明によれば、組立図板や検討図板などのワイヤハーネスに係る図板において、精度良く、かつ確実に保持することができる汎用性のあるハーネス部品保持器を提供することができる。
【図面の簡単な説明】
【図１】  図板上のワイヤハーネスの概略構成を示す斜視図である。
【図２】  本発明の第一の実施形態に係る枠型部品保持具の概略構成を示す斜視図である。
【図３】  本発明の第一の実施形態に係る枠型部品保持具の概略構成を示す分解斜視図である。
【図４】  本発明の第一の実施形態に係る枠型部品保持具のロック姿勢をを示す部分断面図である。（Ａ）はロック解除姿勢を示し、（Ｂ）はロック姿勢を示している。また、（Ｃ）は後述するように突起が弾性部材で進退可能になっている状態を示している。
【図５】  本発明の第二の実施形態に係る枠型部品保持具の概略構成を示す斜視図である。
【図６】  本発明の第二の実施形態に係る枠型部品保持具の概略構成を示す分解斜視図である。
【図７】  本発明の第二の実施形態に係る枠型部品保持具のロック姿勢を示す側面図である。（Ａ）はコネクタをセットする前の状態を示し、（Ｂ）はコネクタをセットした後の状態を示している。また、（Ｃ）は各突起がロックされた状態を示している。
【符号の説明】
１     図板
２     ワイヤハーネス
３     電線
４     コネクタ（ハーネス部品の一例）
１０   枠型部品保持具
１１   ベースブロック
１２   突起
１３   弾性部材
１５   スライド板（ロック手段の一例）
１６   樹脂材（ロック手段の一例）
【図１】
0003852297.tif 000002
【図２】
0003852297.tif 000003
【図３】
0003852297.tif 000004
【図４】
0003852297.tif 000005
【図５】
0003852297.tif 000006
【図６】
0003852297.tif 000007
【図７】
0003852297.tif 000008